(57)【要約】【課題】  ランド及びグルーブトラックの両方で記録再生を行う光ディスクで、ヘッダーを使用せずにアドレス情報等の補助情報を記録し、これによりデータ記録領域を拡大した大容量光ディスクを提供する。【解決手段】  グルーブトラックとランドトラックの１トラック長を偶数で同数のSYNCフレームに分割し、前記SYNCフレームの一方の側壁のウォブル部において、１SYNCフレーム置きに所定の間隔と所定幅でアドレス情報等の補助情報をウォブル変調により記録し、且つ、前記補助情報の記録開始点が前記グルーブトラックとランドトラックで１SYNCフレーム分ずれて記録されている光ディスクとすることでデータ記録領域を拡大した大容量光ディスクを提供できる。【選択図】図１
2006179054.tif 000002
【特許請求の範囲】
【請求項１】
複数個のSYNCフレームで分割されたデータの記録再生が可能なグルーブトラックとランドトラックが半径方向に螺旋状に形成され、かつ１トラック毎に切り替わり、前記グルーブトラックと前記ランドトラックの側壁がトラック進行方向に沿って所定周期でウォブルされ、前記複数個のSYNCフレームの各SYNCフレームが補助情報を有する光ディスクにおいて、
前記複数個のSYNCフレームは、前記グルーブトラックと前記ランドトラックの１トラック長中に偶数で同数含まれ、かつ同期情報は、前記補助情報と同じ位置に形成されることを特徴とする光ディスク。
【請求項２】
複数個のSYNCフレームで分割されたデータの記録再生が可能なグルーブトラックとランドトラックが半径方向に螺旋状に形成され、かつ１トラック毎に切り替わり、前記グルーブトラックと前記ランドトラックの側壁がトラック進行方向に沿って所定周期でウォブルされ、前記複数個のSYNCフレームの各SYNCフレームが補助情報を有し、前記複数個のSYNCフレームは、前記グルーブトラックと前記ランドトラックの１トラック長中に偶数で同数含まれ、かつ同期情報は、前記補助情報と同じ位置に形成されている光ディスクの記録再生を行う光ディスク記録再生装置において、
前記光ディスクの前記グルーブトラック或いは前記ランドトラックに光を照射して反射された戻り光を受光して得られた信号からウォブル信号を検出するウォブル検出手段と、
前記信号と前記ウォブル信号からウォブル変調信号及び前記ウォブル変調信号の間隔の不規則位置を検出して、前記グルーブトラックと前記ランドトラックの切り替わり位置のタイミングパルスを検出する補助情報位置検出手段と、
前記タイミングパルスに基づいて、前記グルーブトラックと前記ランドトラックのトラッキング極性の切り替え信号を出力するトラッキング極性切り替え手段と、
前記切り替え信号によりグルーブトラック用或いは前記ランドトラック用に変更してトラッキング制御を行うサーボ制御手段と、
前記ウォブル変調信号から前記補助情報及び前記補助情報の位置を検出して再生する補助情報再生手段と、
前記同期情報の記録位置を前記補助情報の位置に一致させるタイミング制御信号を出力する記録位置調整手段と、
前記制御信号に基づいて、前記データの記録位置を決定する記録再生制御手段と、
を有することを特徴とする光ディスク記録再生装置。
【請求項３】
複数個のSYNCフレームで分割されたデータの記録再生が可能なグルーブトラックとランドトラックが半径方向に螺旋状に形成され、かつ１トラック毎に切り替わり、前記グルーブトラックと前記ランドトラックの側壁がトラック進行方向に沿って所定周期でウォブルされ、前記複数個のSYNCフレームの各SYNCフレームが補助情報を有し、前記複数個のSYNCフレームは、前記グルーブトラックと前記ランドトラックの１トラック長中に偶数で同数含まれ、かつ同期情報は、前記補助情報と同じ位置に形成されている光ディスクの記録再生を行う光ディスク記録再生方法において、
前記光ディスクの前記グルーブトラック或いは前記ランドトラックに光を照射して反射された戻り光を受光して得られた信号からウォブル信号を検出し、
次に、前記信号と前記ウォブル信号からウォブル変調信号及び前記ウォブル変調信号の間隔の不規則位置を検出して、前記グルーブトラックと前記ランドトラックの切り替わり位置のタイミングパルスを検出し、
次に、前記タイミングパルスに基づいて、前記グルーブトラックと前記ランドトラックのトラッキング極性の切り替えを出力し、
次に、前記切り替え信号によりグルーブトラック用或いは前記ランドトラック用に変更してトラッキング制御を行ない、
次に、前記ウォブル変調信号から前記補助情報及び前記補助情報の位置を検出して再生し、
次に、前記同期情報の記録位置を前記補助情報の位置に一致させるタイミング制御信号を出力し、
次に、前記制御信号に基づいて、前記データの記録位置を決定する記録再生を行うことを特徴とする光ディスク記録再生方法。
【発明の詳細な説明】
【技術分野】
【０００１】
本発明は、グルーブ（溝）及びランド（溝間の面）の両方にデータを記録し再生することが可能な光ディスクと、その光ディスクの記録再生装置及び光ディスク記録再生方法に関する。
【背景技術】
【０００２】
光ディスクに形成されたウォブル（うねり）を持ったランド及びグルーブトラックの両方に記録再生が可能な大容量光ディスクとしてＤＶＤ−ＲＡＭが知られている。
ＤＶＤ−ＲＡＭは、ランドとグルーブが１トラック毎に切替わるシングルスパイラルの記録トラック構造をしており、SYNCフレーム（SYNCコード部とそれに続くユーザーデータ部で構成されたデータ単位）毎にトラックを分断する形でヘッダー（先頭部）が形成され、そこにアドレス情報等の補助情報が記録されている。さらに、それぞれのヘッダーは半径方向の外側又は内側に微少量シフトする形でランド及びグルーブトラックの境界位置にも形成され、使用時には、その配置の状態により、次のトラックがランドとグルーブのどちらのトラックかを判断し、また境界位置を検出してトラッキングサーボの切替え制御を行うようになっている。
【０００３】
このようなランド及びグルーブトラックの両方に記録再生が可能な光ディスクでは、上記ヘッダー領域が存在することにより、両トラックのデータ記録領域が減少するという問題を有している。
この問題点に対し下記特許文献１では、ランド及びグルーブトラックの両方に記録再生が可能であり、上記のようなヘッダーを使用せず、記録領域を拡大できる光ディスクが提案されている。
【０００４】
【特許文献１】特開２０００−３１１３８６号公報
【発明の開示】
【発明が解決しようとする課題】
【０００５】
しかしながら、特許文献１の光ディスクは、前記アドレス情報等の補助情報をウォブル周波数の差で表現する構成としているため、従来のヘッダーのようにSYNCフレーム毎に対応した補助情報が存在しなくなるという新たな問題が生ずる。
本発明は、このような従来の問題点に鑑みなされたものであり、その目的は、ランド及びグルーブトラックの両方で記録再生を行う光ディスクで、ヘッダーを使用せず、且つSYNCフレームに対応したアドレス情報等の補助情報が記録でき、これによりデータ記録領域を拡大した大容量光ディスクを提供すると共に、この光ディスクを使用して、ランドとグルーブトラックの正しい判別と、正確な位置でのデータ記録再生を可能とする光ディスク記録再生装置及び記録再生方法を提供するものである。
【課題を解決するための手段】
【０００６】
本発明は、上記課題を解決する手段として以下の（１）（２）（３）に記載の構成からなる。すなわち、
（１）複数個のSYNCフレームで分割されたデータの記録再生が可能なグルーブトラックとランドトラックが半径方向に螺旋状に形成され、かつ１トラック毎に切り替わり、前記グルーブトラックと前記ランドトラックの側壁がトラック進行方向に沿って所定周期でウォブルされ、前記複数個のSYNCフレームの各SYNCフレームが補助情報を有する光ディスクにおいて、
前記複数個のSYNCフレームは、前記グルーブトラックと前記ランドトラックの１トラック長中に偶数で同数含まれ、かつ同期情報は、前記補助情報と同じ位置に形成されることを特徴とする光ディスク。
（２）複数個のSYNCフレームで分割されたデータの記録再生が可能なグルーブトラックとランドトラックが半径方向に螺旋状に形成され、かつ１トラック毎に切り替わり、前記グルーブトラックと前記ランドトラックの側壁がトラック進行方向に沿って所定周期でウォブルされ、前記複数個のSYNCフレームの各SYNCフレームが補助情報を有し、前記複数個のSYNCフレームは、前記グルーブトラックと前記ランドトラックの１トラック長中に偶数で同数含まれ、かつ同期情報は、前記補助情報と同じ位置に形成されている光ディスクの記録再生を行う光ディスク記録再生装置において、
前記光ディスクの前記グルーブトラック或いは前記ランドトラックに光を照射して反射された戻り光を受光して得られた信号からウォブル信号を検出するウォブル検出手段と、
前記信号と前記ウォブル信号からウォブル変調信号及び前記ウォブル変調信号の間隔の不規則位置を検出して、前記グルーブトラックと前記ランドトラックの切り替わり位置のタイミングパルスを検出する補助情報位置検出手段と、
前記タイミングパルスに基づいて、前記グルーブトラックと前記ランドトラックのトラッキング極性の切り替え信号を出力するトラッキング極性切り替え手段と、
前記切り替え信号によりグルーブトラック用或いは前記ランドトラック用に変更してトラッキング制御を行うサーボ制御手段と、
前記ウォブル変調信号から前記補助情報及び前記補助情報の位置を検出して再生する補助情報再生手段と、
前記同期情報の記録位置を前記補助情報の位置に一致させるタイミング制御信号を出力する記録位置調整手段と、
前記制御信号に基づいて、前記データの記録位置を決定する記録再生制御手段と、
を有することを特徴とする光ディスク記録再生装置。
（３）複数個のSYNCフレームで分割されたデータの記録再生が可能なグルーブトラックとランドトラックが半径方向に螺旋状に形成され、かつ１トラック毎に切り替わり、前記グルーブトラックと前記ランドトラックの側壁がトラック進行方向に沿って所定周期でウォブルされ、前記複数個のSYNCフレームの各SYNCフレームが補助情報を有し、前記複数個のSYNCフレームは、前記グルーブトラックと前記ランドトラックの１トラック長中に偶数で同数含まれ、かつ同期情報は、前記補助情報と同じ位置に形成されている光ディスクの記録再生を行う光ディスク記録再生方法において、
前記光ディスクの前記グルーブトラック或いは前記ランドトラックに光を照射して反射された戻り光を受光して得られた信号からウォブル信号を検出し、
次に、前記信号と前記ウォブル信号からウォブル変調信号及び前記ウォブル変調信号の間隔の不規則位置を検出して、前記グルーブトラックと前記ランドトラックの切り替わり位置のタイミングパルスを検出し、
次に、前記タイミングパルスに基づいて、前記グルーブトラックと前記ランドトラックのトラッキング極性の切り替えを出力し、
次に、前記切り替え信号によりグルーブトラック用或いは前記ランドトラック用に変更してトラッキング制御を行ない、
次に、前記ウォブル変調信号から前記補助情報及び前記補助情報の位置を検出して再生し、
次に、前記同期情報の記録位置を前記補助情報の位置に一致させるタイミング制御信号を出力し、
次に、前記制御信号に基づいて、前記データの記録位置を決定する記録再生を行うことを特徴とする光ディスク記録再生方法である。
【発明の効果】
【０００７】
本発明によれば、ウォブルを持ったランド及びグルーブトラックに、交互にデータを記録又は再生する光ディスクにおいて、アドレス情報等の補助情報を、ウォブル部分を利用して、トラック上のデータ記録との相互干渉が起きない特定の位置と幅でウォブル変調を行って記録することにより、データ記録領域を拡大した大容量光ディスクが得られる効果を有する。
【発明を実施するための最良の形態】
【０００８】
以下、本発明を実施するための最良の形態について図面と共に説明する。なお装置の構成や動作において、本発明に関連しない部分は図示と説明を省略する。
図１は本発明に係る光ディスクのウォブル変調部の配置を示す図、図２は本発明に係る光ディスクのウォブル変調部と記録データのSYNCコード部との位置関係を示す図、図３は本発明に係る光ディスク記録再生装置を示すブロック図である。
【０００９】
図１において、本発明の実施形態に係る光ディスクは、ランド（L）及びグルーブ（Ｇ）トラックが所定の周波数でウォブリングされたディスクフォーマットとなっている。このランド及びグルーブトラック共にトラック走査方向に向かって左側の側壁にウォブル変調によるアドレス等の補助情報（ウォブルアドレス）が１SYNCフレーム置きに形成されている。また、右側の側壁には隣接するトラックのウォブルアドレスが形成されており、１トラック中で両側壁のウォブルアドレスの数は同数で相互に１SYNCフレーム分ずらして配置してある。またこのとき、１トラック上のSYNCフレームの数は偶数となるようにする。
【００１０】
次に、図２を用いてウォブルアドレス位置とSYNCコード部の関係を説明する。
ＤＶＤ規格などでは、記録するデータ中のSYNCコードには、ユーザーデータ部には存在しない長いマークがSYNCフレーム毎の同期をとるための同期情報として用いられることが多いが、こういった長いマークのデータを記録する場合に好都合のように、本発明では、記録トラックの左右の側壁にあるウォブルアドレス位置にSYNCコードの位置を合わせて記録を行うようにしている。こうすることで、ウォブルアドレスに隣接するトラック部分には常に長いマーク（スペース）長が記録されるので、ウォブルアドレス部分がSYNCコードの再生波形に及ぼす影響を最小限にとどめることができ、逆に記録するSYNCコードがウォブルアドレスの読み出し情報を劣化させることもなくなり、相互に良好な再生ができるようになる。
【００１１】
次に、ランドトラックとウォブルトラックの判別について説明する。
図１に示すように、当該トラックの左側壁に記録されるウォブルアドレスは、グルーブトラックにおいてはランドとグルーブの切替わり点から奇数番目のSYNCフレーム位置に配置し、ランドトラックでは偶数番目のSYNCフレーム位置に配置する、というように１SYNCフレーム置きにウォブルアドレス位置が形成されている。
【００１２】
このように配置すると、ランドとグルーブの切替わり点では、ランドからグルーブに切替わる時は２SYNCフレーム連続してウォブルアドレスが存在し、グルーブからランドに切替わる時は２SYNCフレーム連続でウォブルアドレスが存在しないようになる。
つまり、SYNCフレーム単位でウォブルアドレス配置の不規則性を検出することによってランドからグルーブトラックに切替わるのか、グルーブからランドトラックに切替わるのかが判別できるようになる。
【００１３】
以上のように、本発明の実施形態に係る光ディスクを用いれば、記録トラック側壁のウォブル変調部による補助情報とランド・グルーブ両トラックに記録されるユーザーデータのSYNCコードの位置を合わせるように記録を行うことにより、ウォブル変調部と記録データ部共に相互に波形乱れ等の影響がなく良好な再生が可能となるので、ヘッダー部を除去した大容量の光ディスクを実現することができる。
【００１４】
また、１SYNCフレーム置きに記録されているウォブル変調部の記録間隔の不規則性を検出することで、ランドとウォブルトラックの判別と切替わりタイミングの検出ができるので、両トラックに対応したトラッキングサーボ特性の切替え制御が可能となるなど、従来のヘッダーが持っていた機能を果たすことができるようになる。
【００１５】
次に、本発明の実施形態に係わる光ディスク記録再生装置の構成について図３を参照しながら説明する。
図３に示すように、本発明の実施形態に係る光ディスク記録再生装置は、光ディスク１から信号を再生若しくは信号を記録するピックアップ２と、このピックアップ２から再生される再生信号からウォブル信号を検出するウォブル検出回路４と、ピックアップ２から再生される再生信号とウォブル検出回路４で検出されるウォブル信号に基づいて、変調されたウォブル変調部を検出すると共に、このウォブル変調部が所定の間隔で２回連続して存在する、あるいは２回連続して存在しない不規則位置を検出する補助情報位置検出回路５と、この補助情報位置検出回路５により検出された不規則位置のタイミング信号を得てランド及びグルーブトラックのトラッキング極性の切替え信号を出力するトラッキング極性切替回路９と、このトラッキング極性切替回路９から出力された極性切替え信号によりランド用あるいはグルーブ用に設定を変更してトラッキング制御を行うサーボ制御回路７と、前記補助情報位置検出回路５により得られたウォブル変調部より補助情報を再生する補助情報再生回路１０と、記録の際には補助情報位置を基準として、記録するデータ中のSYNCコード部の位置を補助情報位置に合わせるように記録のタイミングを出す記録位置調整回路８と、前記補助情報から得られた情報および記録の際には前記記録位置調整回路８から得られる記録タイミングに基づいてレーザー駆動など記録再生制御を行う記録再生制御回路６からなる。
【００１６】
次に、図３に示す光ディスク記録再生装置の動作を説明する。
光ディスク１に記録された信号をピックアップ２で検出し、ここで検出された再生信号をウォブル検出回路４と補助情報位置検出回路５に供給する。ウォブル検出回路４では、再生信号からウォブル信号を検出する。補助情報位置検出回路５では、再生信号とウォブル検出回路４から出力されるウォブル信号に基づいて、変調されたウォブル信号を検出すると共に、補助情報検出位置のタイミング信号を発生し、さらに、所定の間隔でウォブル変調信号の有無を検出し、ウォブル変調信号が所定の間隔で２回連続して存在するか、あるいは２回連続して存在しない場合にアドレス周期切替わりフラグを出力する。
【００１７】
トラッキング極性切替回路９では、アドレス周期切替わりフラグに基づいてランド及びグルーブトラックのトラッキングを切替えるタイミングを検出し、そのタイミングで極性切替え信号をサーボ制御回路７に出力する。サーボ制御回路７では、トラッキング極性切替回路９から供給された極性切替え信号によりランド用あるいはグルーブ用に設定を変更してトラッキング制御を行う。
【００１８】
補助情報再生回路１０では、補助情報位置検出回路５により得られたウォブル変調信号よりアドレス情報や記録再生に必要な補助情報を再生する。
記録位置調整回路８では、記録時に、補助情報再生回路１０により得られたアドレス情報と補助情報位置検出回路５により得られた補助情報位置のタイミング信号により、記録するデータのSYNCコードとディスク上の補助情報位置の位置を合わせるようにデータ送出のタイミングを算出し、記録再生制御回路６に記録開始タイミング信号を送る。
記録再生制御回路６では、補助情報再生回路１０で得られた記録再生に必要な補助情報に基づいてレーザー駆動等の記録再生制御を行う。
【００１９】
以上のように、本発明の実施形態による光ディスク記録再生装置によれば、記録トラック側壁のウォブル変調部による補助情報とランド・グルーブ両トラックに記録されるユーザーデータのSYNCコードの位置を合わせるように記録データを送出するタイミングを調節できる記録位置調整回路８を備えているので、ウォブル信号とデータ共に波形乱れ等の影響のない良好な記録再生が可能となる。
【００２０】
また、ウォブル変調部により、トラック側壁に形成された補助情報の位置が所定の間隔で２回連続して存在するかあるいは２回連続存在しないかを検出して、アドレス周期切替わりフラグを出力する補助情報位置検出回路５と、前記したアドレス周期切替わりフラグに基づいてトラッキングを切替えるタイミングを検出するトラッキング極性切替回路９とを備えているので、１トラック毎にランドとグルーブトラックが切替わるシングルスパイラルフォーマットのディスクにおいてもスムーズにトラッキングの制御が行え、正確なアドレス検出ができるので、ヘッダーを用いない大容量光ディスクによる記録再生システムの実現が可能となる。
【００２１】
なお、本発明はデータ記録領域を拡大した大容量光ディスクの提供にあるので、ディスクへのデータ記録形態としては高密度化の方法として良く知られているＺＣＬＶ回転（Zoned Constant Linear Velocity：ディスクの記録領域を半径方向で複数のゾーンに分割し、１つのゾーン内では回転数一定で回転し、ゾーン間の平均線速度は全ゾーンでほぼ一定にする方法）による記録手段を併用することが望ましい。
【図面の簡単な説明】
【００２２】
【図１】本発明に係る光ディスクのウォブル変調部の配置を示す図である。
【図２】本発明に係る光ディスクのウォブル変調部と記録データのSYNCコード部との位置関係を示す図である。
【図３】本発明に係る光ディスク記録再生装置を示すブロック図である。
【符号の説明】
【００２３】
１  光ディスク
２  ピックアップ
４  ウォブル検出回路
５  補助情報位置検出回路
６  記録再生制御回路
７  サーボ制御回路
８  記録位置調整回路
９  トラッキング極性切替回路
１０  補助情報再生回路
【図１】
2006179054.tif 000003
【図２】
2006179054.tif 000004
【図３】
2006179054.tif 000005